(57)【要約】【課題】ケース内部に結露が生じた場合でも読取不良が発生しにくい携帯型入力端末を提供する。【解決手段】コードの読み取りを行う読み取りモジュール２０と、前記読み取りモジュール２０を収容し、前記読み取りモジュール２０への光を通過させるための窓部３１を開口形成したハウジング３０と、前記窓部３１に取り付けられる透明なカバー体１１と、を備える。前記カバー体１１は、前記読み取りモジュール２０に臨む厚肉部１２と、前記厚肉部１２の周囲に設けられた薄肉部１３と、を備える。【選択図】図３
2020101883.tif 000002
【特許請求の範囲】
【請求項１】
コードの読み取りを行う読み取りモジュールと、
前記読み取りモジュールを収容し、前記読み取りモジュールへの光を通過させるための窓部を開口形成したハウジングと、
前記窓部に取り付けられる透明なカバー体と、
を備え、
前記カバー体は、前記読み取りモジュールに臨む厚肉部と、前記厚肉部の周囲に設けられた薄肉部と、を備えることを特徴する、携帯型入力端末。
【請求項２】
前記厚肉部と前記薄肉部との間の段差によって、前記ハウジングに対する前記カバー体の位置決めが行われることを特徴する、請求項１記載の携帯型入力端末。
【請求項３】
前記カバー体の前記薄肉部は、前記読み取りモジュールに並設されたランプに臨むように配置されていることを特徴する、請求項１または２記載の携帯型入力端末。
【発明の詳細な説明】
【技術分野】
【０００１】
この発明は、ハンディターミナルなどの携帯型入力端末に関し、特に、結露による読取不良を防止可能な携帯型入力端末に関する。
【背景技術】
【０００２】
この種の携帯型入力端末は、バーコードや二次元コードなどのコードを読み取る撮像素子や受光素子などの読み取りモジュールを備えている。こうした読み取りモジュールは、密閉された本体ケースに封入されており、透明なカバーを介して外部のコードを読み取り可能となっている。
【０００３】
こうした機器において、カバーの内側に結露が生じると、光がまっすぐに読み取りモジュールに届かないため、正常な読み取りが行えないという問題があった。
なお、特許文献１には、ケース内部の気密性を高め、内部に乾燥した不活性ガスを封入することで結露を防止する技術が開示されている。
【先行技術文献】
【特許文献】
【０００４】
【特許文献１】特開２００２−２２１７４８号公報
【発明の概要】
【発明が解決しようとする課題】
【０００５】
しかし、この種の携帯型入力端末において気密性を高めるにも限界があり、また使用環境の温度変化も大きいことから結露が発生しやすいという問題があった。このため、ケース内部の結露を完全に防止することは困難であった。
そこで、本発明は、ケース内部に結露が生じた場合でも読取不良が発生しにくい携帯型入力端末を提供することを課題とする。
【課題を解決するための手段】
【０００６】
本発明は、上記した課題を解決するためになされたものであり、コードの読み取りを行う読み取りモジュールと、前記読み取りモジュールを収容し、前記読み取りモジュールへの光を通過させるための窓部を開口形成したハウジングと、前記窓部に取り付けられる透明なカバー体と、を備え、前記カバー体は、前記読み取りモジュールに臨む厚肉部と、前記厚肉部の周囲に設けられた薄肉部と、を備えることを特徴する。
【発明の効果】
【０００７】
本発明は上記の通りであり、窓部に取り付けられる透明なカバー体は、読み取りモジュールに臨む厚肉部と、厚肉部の周囲に設けられた薄肉部と、を備えている。このような構成によれば、ケース内部に結露が生じる場合でも、読み取りに影響しない薄肉部に結露が集中することになる。すなわち、常温環境から冷蔵庫内に携帯型入力端末が持ち込まれるなどして環境温度が急激に下がると、カバー体が冷えることでカバー体の内側に結露が生じる。このとき、薄肉部は、厚肉部より熱が伝わりやすいため、厚肉部よりも先に温度が低下して結露を生じる。このように薄肉部にあえて結露を生じさせることでカバー体の内側の相対湿度を下げ、読み取りモジュールに臨む厚肉部に結露が生じないようにしているので、結露による読み取りへの悪影響を回避することができる。
【０００８】
なお、厚肉部と薄肉部との間の段差によって、ハウジングに対するカバー体の位置決めが行われるようにしてもよい。このように構成すれば、カバー体の厚みを変えることで、結露対策をできるだけではなく、組み付け性も向上させることができる。
【０００９】
また、カバー体の薄肉部は、読み取りモジュールに並設されたランプに臨むように配置されていてもよい。すなわち、読み取りモジュールに並設されたランプを備えた機種であれば、このランプに臨むように薄肉部を設けることで、無駄にカバー体を大きく形成しなくても、薄肉部の面積を大きく確保することができる。薄肉部の面積を大きく確保することで、薄肉部に結露する量（除去できる水の量）が増えるので、厚肉部への結露を有効に防止することができる。
【図面の簡単な説明】
【００１０】
【図１】携帯型入力端末の外観図である。
【図２】（ａ）カバー体の表面を示す図、（ｂ）カバー体の裏面を示す図、（ｃ）接着シールを貼り付けたカバー体の裏面を示す図、（ｄ）Ａ−Ａ線断面図である。
【図３】携帯型入力端末の読み取りモジュール付近を正面から見た図であって、（ａ）カバー体を取り外した状態の図、（ｂ）カバー体を取り付けた状態の図、（ｃ）Ｂ−Ｂ線端面図、（ｄ）Ｃ−Ｃ線端面図である。
【発明を実施するための形態】
【００１１】
本発明の実施形態について、図を参照しながら説明する。
本実施形態に係る携帯型入力端末１０は、バーコードや二次元コードなどのコードを読み取る機能を有しており、図１に示すように、ハウジング３０の前面にカバー体１１を取り付けることで密閉されたケースを構成し、このケースの内部に各種電子部品を内蔵している。
【００１２】
ハウジング３０は、後述する読み取りモジュール２０などの電子部品を収容するためのものである。このハウジング３０の前面には、図１に示すように、窓部３１が開口形成されている。この窓部３１は、読み取りモジュール２０からコード面への光を通過させたり、コード面に反射した光を読み取りモジュール２０へ通過させたり、後述するランプ２５の光を前方に放射したりするために設けられている。
【００１３】
なお、本実施形態に係るハウジング３０の窓部３１は、図３に示すように、開口面に段形状が形成されている。具体的には、窓部３１は、外側開口３２と、取付面３４と、内側開口３３と、の３つの連続する面で形成されている。
【００１４】
外側開口３２は、窓部３１の最も外側に配置されており、窓部３１の開口面に対して垂直に形成されている。また、取付面３４は、外側開口３２の端部から連続するように、窓部３１の開口面に対して水平に形成されており、窓部３１の中心方向に張り出している。また、内側開口３３は、窓部３１の最も内側に配置されており、取付面３４の端部から連続するように、窓部３１の開口面に対して垂直に形成されている。このような構成により、図３（ａ）に示すように、窓部３１を正面から見ると、手前側の外側開口３２と奥側の内側開口３３との間に取付面３４が形成されており、取付面３４が正面に臨むように配置されている。
【００１５】
この窓部３１には、図２に示すような透明なカバー体１１が取り付けられている。このカバー体１１は、ポリカーボネートなどの合成樹脂で形成されている。このカバー体１１は、図２（ｄ）に示すように、厚みが２段階となるように形成されており、厚肉部１２と、厚肉部１２の周囲に設けられた薄肉部１３と、を備える。なお、本実施形態においては厚肉部１２の厚みは薄肉部１３の約２倍となっており、厚肉部１２は約２ｍｍ、薄肉部１３は約１ｍｍで形成されている。なお、厚肉部１２と薄肉部１３の差が大きい方が結露防止の効果が高くなるため、厚肉部１２の厚みは薄肉部１３の厚みの２倍以上であることが望ましい。
【００１６】
このカバー体１１は、図２（ａ）に示すように、機械の外側を向く表面１１ａは平坦に形成されている。一方、機械の内側に臨む裏面１１ｂは、中心部と周縁部とで高さが異なるように形成されている。すなわち、カバー体１１の裏面１１ｂは、中心部が高く、周縁部が低くなるように形成されており、中心部を囲むように段差１４が形成されている。この段差１４の内側が厚肉部１２であり、段差１４の外側が薄肉部１３となっている。
【００１７】
このカバー体１１は、図２（ｃ）に示すように、裏面１１ｂに貼り付けられた接着シール１５によって窓部３１の取付面３４に接着される。接着シール１５は、カバー体１１の裏面１１ｂの周縁部に貼り付けられる。接着シール１５が貼り付けられる領域はすべて薄肉部１３であるが、薄肉部１３のすべての領域に接着シール１５が貼り付けられるわけではなく、周縁部を除いた薄肉部１３には接着シール１５が貼り付けられない。
【００１８】
カバー体１１を窓部３１に取り付けると、図３（ｃ）および（ｄ）に示すように、カバー体１１の裏面１１ｂと窓部３１の取付面３４とが接着シール１５によって密着状態で固定される。このとき、図３（ｄ）に示すように、窓部３１の開口の一部において、窓部３１の段形状に、カバー体１１の段差１４が係合する。すなわち、厚肉部１２と薄肉部１３との間の段差１４によって、ハウジング３０に対するカバー体１１の位置決めが行われるようになっている。
【００１９】
このように窓部３１をカバー体１１で覆うことにより、図３（ｃ）に示すように、厚肉部１２の左右両側に薄肉部１３が配置される。そしてこのようにカバー体１１で覆われた窓部３１の奥には、読み取りモジュール２０およびランプ２５が配置されている。
【００２０】
読み取りモジュール２０は、バーコードや二次元コードなどのコードの読み取りを行う機能ユニットである。読み取りモジュール２０の構成は従来周知のものを使用可能である。例えば、本実施形態に係る読み取りモジュール２０は、図３（ａ）に示すように、ＬＥＤ等の照明手段からなる投光部２１と、投光部２１からの光をコード面に当てた反射光を受光するＣＣＤ等の撮像素子からなる受光部２２と、読み取りの照準光を照射する照準ライト２３と、を備えている。この読み取りモジュール２０は、ユーザによってスキャン動作を行うための操作が実行されると、投光部２１から光を発光してコード上をスキャンし、その反射光を受光部２２で受光する。受光部２２で受光した波形はデコードされ、制御部によって使用可能なデータに変換される。このデータを使用することで、コードの内容を読み取ることができる。
また、ランプ２５は、コードの読み取りには直接関与しない光源である。例えば、屋外での作業時に周囲を照らすための光源として使用可能なものである。
【００２１】
ここで、図３（ｃ）および（ｄ）に示すように、上記したカバー体１１は、読み取りモジュール２０に臨む位置には厚肉部１２が配置されている。具体的には、投光部２１による投光や、受光部２２による受光が、必ず厚肉部１２を通して行われるように配置されている。また、厚肉部１２の周囲に設けられた薄肉部１３には、読み取りモジュール２０に並設されたランプ２５が臨むように配置されている。すなわち、ランプ２５の光は、薄肉部１３を通過して外部に放出されるようになっている。
【００２２】
このような構成によれば、ケース内部に結露が生じる場合でも、読み取りに影響しない薄肉部１３に結露が集中することになる。すなわち、常温環境から冷蔵庫内に携帯型入力端末１０が持ち込まれるなどして環境温度が急激に下がると、カバー体１１が冷えることでカバー体１１の内側に結露が生じる。このとき、薄肉部１３は、厚肉部１２より熱が伝わりやすいため、厚肉部１２よりも先に温度が低下して結露を生じる。このように薄肉部１３にあえて結露を生じさせることでカバー体１１の内側の相対湿度を下げ、読み取りモジュール２０に臨む厚肉部１２に結露が生じないようにすることができる。よって、結露が生じたとしても、コードの読み取りに影響が出ないようにすることができる。
【００２３】
なお、本実施形態では、厚肉部１２と薄肉部１３との間の段差１４によって、ハウジング３０に対するカバー体１１の位置決めが行われるようになっている。このようなカバー体１１によれば、結露対策をできるだけではなく、組み付け性も向上させることができる。
【００２４】
また、カバー体１１の薄肉部１３は、読み取りモジュール２０に並設されたランプ２５に臨むように配置されている。ランプ２５に臨むように薄肉部１３を設けることで、無駄にカバー体１１を大きく形成しなくても、薄肉部１３の面積を大きく確保することができる。薄肉部１３の面積を大きく確保することで、薄肉部１３に結露する量（除去できる水の量）が増えるので、厚肉部１２への結露を有効に防止することができる。
【００２５】
なお、上記した実施形態においては、厚肉部１２の左右両側に薄肉部１３が配置されるようにした。このように構成すれば、結露した水滴が厚肉部１２の方に流れることがなく、また、薄肉部１３の面積を広く確保することができる。ただし、本発明の実施形態としてはこれに限らず、機械の構成に応じて厚肉部１２と薄肉部１３の配置を変更してもよい。
【００２６】
また、上記した実施形態においては、読み取りモジュール２０がＣＣＤ等の撮像素子を備えた構成について説明したが、これに限らない。読み取りモジュール２０としては公知のものに置換可能であり、例えば、ＣＭＯＳなどの画像センサを備えた読み取りモジュール２０を採用してもよいし、レーザー式の読み取りモジュール２０を採用し、レーザーの反射光を受光素子で受光するようにしてもよい。
【符号の説明】
【００２７】
１０  携帯型入力端末
１１  カバー体
１１ａ  表面
１１ｂ  裏面
１２  厚肉部
１３  薄肉部
１４  段差
１５  接着シール
２０  読み取りモジュール
２１  投光部
２２  受光部
２３  照準ライト
２５  ランプ
３０  ハウジング
３１  窓部
３２  外側開口
３３  内側開口
３４  取付面
【図１】
2020101883.tif 000003
【図２】
2020101883.tif 000004
【図３】
2020101883.tif 000005